(57)【要約】【課題】ヘッドスライダの浮上量の変動を抑制することが可能な磁気ディスク媒体を提供する。【解決手段】本発明の磁気ディスク媒体は、磁性層を含む表層に溝が形成され、溝によって分離された磁性層を含むランドによりトラックが構成されるデータトラック領域２１と、磁性層を含むランドと溝とのパターンによりサーボデータが表されるサーボ領域２３と、が周方向に交互に配列し、データトラック領域２１における溝の面積比をＡＲｔとし、サーボ領域２３における溝の面積比をＡＲｓとするとき、０．９ＡＲｔ≦ＡＲｓ≦１．１ＡＲｔを満たす。【選択図】図５
2010282674.tif 000002
【特許請求の範囲】
【請求項１】
表層に磁性層を含む磁気ディスク媒体であって、
前記表層に溝が形成され、前記溝によって分離された前記磁性層を含むランドにより、ユーザデータが記録されるトラックが構成されるデータトラック領域と、
前記表層に溝が形成され、前記磁性層を含むランドと前記溝とのパターンにより、磁気ヘッドの位置決めに供されるサーボデータが表されるサーボ領域と、
が周方向に交互に配列し、
前記データトラック領域における前記溝の面積比をＡＲｔとし、前記サーボ領域における前記溝の面積比をＡＲｓとするとき、０．９ＡＲｔ≦ＡＲｓ≦１．１ＡＲｔを満たす、
ことを特徴とする磁気ディスク媒体。
【請求項２】
表層に磁性層を含む磁気ディスク媒体であって、
前記表層に溝が形成され、前記溝によって分離された前記磁性層を含むランドにより、ユーザデータが記録されるトラックが構成されるデータトラック領域と、
前記表層に溝が形成され、前記磁性層を含むランドと前記溝とのパターンにより、磁気ヘッドの位置決めに供されるサーボデータが表されるサーボ領域と、
が周方向に交互に配列し、
前記データトラック領域における前記溝の面積比と深さの積をＶＲｔとし、前記サーボ領域における前記溝の面積比と深さの積をＶＲｓとするとき、０．９ＶＲｔ≦ＶＲｓ≦１．１ＶＲｔを満たす、
ことを特徴とする磁気ディスク媒体。
【請求項３】
表層に磁性層を含む磁気ディスク媒体であって、
前記表層に溝が形成され、前記溝によって分離された前記磁性層を含むランドにより、ユーザデータが記録されるトラックが構成されるデータトラック領域と、
前記表層に溝が形成され、前記磁性層を含むランドと前記溝とのパターンにより、磁気ヘッドの位置決めに供されるサーボデータが表されるサーボ領域と、
が周方向に交互に配列し、
前記サーボ領域のうち、前記サーボデータを表す前記パターンとは異なる位置に補正溝が形成される、
ことを特徴とする磁気ディスク媒体。
【請求項４】
前記サーボ領域は、前記ランドと前記溝とが周方向に交互に配列した、径方向の位置が互いに異なる複数種類のバースト部が形成された位置誤差信号領域を含み、
前記位置誤差信号領域の前記バースト部が形成されていない位置に、周方向に延びる補正溝が形成される、
請求項１に記載の磁気ディスク媒体。
【請求項５】
前記バースト部の前記ランドが、前記バースト部の前記溝と、前記補正溝とに囲まれる、
請求項４に記載の磁気ディスク媒体。
【請求項６】
前記サーボ領域は、少なくとも前記トラックの延長上の位置で前記ランドと前記溝とが周方向に交互に配列する同期信号領域を含み、
前記同期信号領域の前記トラックの延長上でない位置の、径方向に配列する前記溝の間に前記ランドが形成される、
請求項１に記載の磁気ディスク媒体。
【請求項７】
前記サーボ領域は、少なくとも前記トラックの延長上の位置で、当該磁気ディスク媒体上の位置の情報を前記ランドと前記溝との２値で表すアドレス部が形成されたアドレス信号領域を含み、
前記アドレス信号領域の前記トラックの延長上でない位置に、補正溝が形成される、
請求項１に記載の磁気ディスク媒体。
【請求項８】
前記サーボ領域は、少なくとも前記トラックの延長上の位置で、当該磁気ディスク媒体上の位置の情報を前記ランドと前記溝との２値で表すアドレス部が形成されたアドレス信号領域を含み、
前記アドレス信号領域では、前記アドレス部と、補正溝が形成された補正部と、が周方向に配列する、
請求項１に記載の磁気ディスク媒体。
【請求項９】
前記サーボ領域は、少なくとも前記トラックの延長上の位置で前記ランドと前記溝とが周方向に交互に配列する同期信号領域と、前記データトラック領域と前記同期信号領域との間に形成されるブランク領域と、を含み、
前記ブランク領域に補正溝が形成される、
請求項１に記載の磁気ディスク媒体。
【請求項１０】
前記ブランク領域では、前記ランドと前記補正溝とが周方向および径方向に交互に配列する、
請求項９に記載の磁気ディスク媒体。
【請求項１１】
前記ブランク領域では、前記ランドおよび前記補正溝の周方向の長さが、前記同期信号領域に近づくに従って短くなる、
請求項１０に記載の磁気ディスク媒体。
【請求項１２】
前記ブランク領域では、前記ランドおよび前記補正溝の径方向の長さが、前記同期信号領域に近づくに従って長くなる、
請求項１０に記載の磁気ディスク媒体。
【請求項１３】
前記ブランク領域では、径方向に交互に配列する前記ランドと前記補正溝との境界が、前記データトラック領域の前記トラックの延長上に位置する、
請求項１０に記載の磁気ディスク媒体。
【請求項１４】
表層に磁性層を含む磁気ディスク媒体であって、
前記表層に溝が形成され、前記溝によって分離された前記磁性層を含むランドにより、ユーザデータが記録されるトラックが構成されるデータトラック領域と、
前記表層に溝が形成され、前記磁性層を含むランドと前記溝とのパターンにより、磁気ヘッドの位置決めに供されるサーボデータが表されるサーボ領域と、
が周方向に交互に配列し、
前記サーボ領域は、
少なくとも前記トラックの延長上の位置で前記ランドと前記溝とが周方向に交互に配列する同期信号領域と、
少なくとも前記トラックの延長上の位置で、当該磁気ディスク媒体上の位置の情報を前記ランドと前記溝との２値で表すアドレス部が形成されたアドレス信号領域と、
前記ランドと前記溝とが周方向に交互に配列した、径方向の位置が互いに異なる複数種類のバースト部が形成された位置誤差信号領域と、
前記データトラック領域と前記同期信号領域との間に形成されるブランク領域と、
を含み、
前記データトラック領域における前記溝の面積比をＡＲｔとするとき、前記同期信号領域、前記アドレス信号領域、前記バースト信号領域および前記ブランク領域の少なくとも２つにおける前記溝の面積比が０．９ＡＲｔ以上１．１ＡＲｔ以下である、
ことを特徴とする磁気ディスク媒体。
【請求項１５】
表層に磁性層を含む磁気ディスク媒体であって、
前記表層に溝が形成され、前記溝によって分離された前記磁性層を含むランドにより、ユーザデータが記録されるトラックが構成されるデータトラック領域と、
前記表層に溝が形成され、前記磁性層を含むランドと前記溝とのパターンにより、磁気ヘッドの位置決めに供されるサーボデータが表されるサーボ領域と、
が周方向に交互に配列し、
前記データトラック領域に形成された前記溝の深さと、前記サーボ領域に形成された前記溝の深さとが異なる、
ことを特徴とする磁気ディスク媒体。
【請求項１６】
請求項１に記載の磁気ディスク媒体を備える磁気ディスク装置。
【発明の詳細な説明】
【技術分野】
【０００１】
本発明は、磁気ディスク媒体および磁気ディスク装置に関し、特には、表層に溝が形成された磁気ディスク媒体に関する。
【背景技術】
【０００２】
近年、磁性層を含む表層に溝が形成された磁気ディスク媒体、いわゆるパターンドメディアが実用化の途を辿っている。こうした磁気ディスク媒体の一例として、隣接するトラックの間に溝が形成されたディスクリートトラックメディアが知られている。これによれば、トラック間の干渉による信号のＳ／Ｎ比の劣化が防がれる。他にも、トラック内の隣接するビットセルの間に溝が形成されたビットパターンドメディアが知られている。これによれば、ビットセル間の干渉による信号のＳ／Ｎ比の劣化が防がれる。
【０００３】
こうした磁気ディスク媒体では、磁気ヘッドの位置決めに供されるサーボデータが、磁性層を含むランドと、磁性層が除去された溝との２値のパターンで表されることがある。
【先行技術文献】
【非特許文献】
【０００４】
【非特許文献１】B. E. Knigge, Z. Z. Bandic, and D. Kercher, “Flying Characteristicson Discrete Track and Bit-Patterned Media With a Thermal Protrusion Slider,”IEE Trans. on Magnetics, Vol.44, No. 11, (2008.11)
【発明の概要】
【発明が解決しようとする課題】
【０００５】
ところで、磁気ヘッドを含むヘッドスライダは、空気膜潤滑軸受の原理によって磁気ディスク媒体上に浮上するが、上記のような溝が形成された場合、溝を含む領域でヘッドスライダの浮上量が減少し、ヘッドスライダがディスク面に接触してしまうという問題があった。これを防ぐためにヘッドスライダの浮上力を増して溝の無いディスク面に対する浮上量に等しくなるようにすると、溝を含めた等価的な浮上量が増すため空気膜の剛性が低下しヘッドスライダのディスク面への追従性が劣化するという問題があった。更にデータ記録領域とそれ以外の信号記録領域で溝面積比率が異なるため、ディスク面の場所によって浮上高さが変動し、記録再生信号の劣化やヘッドと媒体の接触による損傷を招くという問題があった。
【０００６】
これらの問題を解決するため、一旦形成された溝を非磁性材料で埋めることが検討されている。ヘッドスライダのディスク面に対する追従性を劣化させないためには、まずは溝深さがヘッドスライダの浮上量以下となるよう埋めることが必要である。しかしながら、溝に埋められる非磁性材料の高さと、その周囲の磁性層からなるランドの高さとを１nm以下に揃えて、ディスク面のすべての領域でヘッドスライダの浮上量変動が0.1 nm以下となるような完全な平面を形成することはかなり困難である。よって数ナノメートルの溝が残っていてもディスク面のすべての情報記録領域でヘッドスライダの浮上量変動が0.1 nm以下となるようなパターンドメディアの実現が期待されていた。
【０００７】
本発明は、上記実情に鑑みて為されたものであり、ヘッドスライダの浮上量の変動を抑制することが可能な磁気ディスク媒体および磁気ディスク装置を提供することを主な目的とする。
【課題を解決するための手段】
【０００８】
上記課題を解決するため、本発明の磁気ディスク媒体は、表層に磁性層を含む磁気ディスク媒体であって、前記表層に溝が形成され、前記溝によって分離された前記磁性層を含むランドにより、ユーザデータが記録されるトラックが構成されるデータトラック領域と、前記表層に溝が形成され、前記磁性層を含むランドと前記溝とのパターンにより、磁気ヘッドの位置決めに供されるサーボデータが表されるサーボ領域と、が周方向に交互に配列し、前記データトラック領域における前記溝の面積比をＡＲｔとし、前記サーボ領域における前記溝の面積比をＡＲｓとするとき、０．９ＡＲｔ≦ＡＲｓ≦１．１ＡＲｔを満たす、ことを特徴とする。更には、０．９５ＡＲｔ≦ＡＲｓ≦１．０５ＡＲｔを満たすことが好ましい。
【０００９】
また、本発明の磁気ディスク媒体は、表層に磁性層を含む磁気ディスク媒体であって、前記表層に溝が形成され、前記溝によって分離された前記磁性層を含むランドにより、ユーザデータが記録されるトラックが構成されるデータトラック領域と、前記表層に溝が形成され、前記磁性層を含むランドと前記溝とのパターンにより、磁気ヘッドの位置決めに供されるサーボデータが表されるサーボ領域と、が周方向に交互に配列し、前記データトラック領域における前記溝の面積比と深さの積をＶＲｔとし、前記サーボ領域における前記溝の面積比と深さの積をＶＲｓとするとき、０．９ＶＲｔ≦ＶＲｓ≦１．１ＶＲｔを満たす、ことを特徴とする。更には、０．９５ＶＲｔ≦ＶＲｓ≦１．０５ＶＲｔを満たすことが好ましい。
【００１０】
また、本発明の磁気ディスク媒体は、表層に磁性層を含む磁気ディスク媒体であって、前記表層に溝が形成され、前記溝によって分離された前記磁性層を含むランドにより、ユーザデータが記録されるトラックが構成されるデータトラック領域と、前記表層に溝が形成され、前記磁性層を含むランドと前記溝とのパターンにより、磁気ヘッドの位置決めに供されるサーボデータが表されるサーボ領域と、が周方向に交互に配列し、前記サーボ領域のうち、前記サーボデータを表す前記パターンとは異なる位置に補正溝が形成される、ことを特徴とする。
【００１１】
また、本発明の一態様では、前記サーボ領域は、前記ランドと前記溝とが周方向に交互に配列した、径方向の位置が互いに異なる複数種類のバースト部が形成された位置誤差信号領域を含み、前記位置誤差信号領域の前記バースト部が形成されていない位置に、周方向に延びる補正溝が形成される。
【００１２】
また、前記バースト部の前記ランドが、前記バースト部の前記溝と、前記補正溝とに囲まれてもよい。
【００１３】
また、本発明の一態様では、前記サーボ領域は、少なくとも前記トラックの延長上の位置で前記ランドと前記溝とが周方向に交互に配列する同期信号領域を含み、前記同期信号領域の前記トラックの延長上でない位置の、径方向に配列する前記溝の間に前記ランドが形成される。
【００１４】
また、本発明の一態様では、前記サーボ領域は、少なくとも前記トラックの延長上の位置で、当該磁気ディスク媒体上の位置の情報を前記ランドと前記溝との２値で表すアドレス部が形成されたアドレス信号領域を含み、前記アドレス信号領域の前記トラックの延長上でない位置に、補正溝が形成される。
【００１５】
また、本発明の一態様では、前記サーボ領域は、少なくとも前記トラックの延長上の位置で、当該磁気ディスク媒体上の位置の情報を前記ランドと前記溝との２値で表すアドレス部が形成されたアドレス信号領域を含み、前記アドレス信号領域では、前記アドレス部と、補正溝が形成された補正部と、が周方向に配列する。
【００１６】
また、本発明の一態様では、前記サーボ領域は、少なくとも前記トラックの延長上の位置で前記ランドと前記溝とが周方向に交互に配列する同期信号領域と、前記データトラック領域と前記同期信号領域との間に形成されるブランク領域と、を含み、前記ブランク領域に補正溝が形成される。
【００１７】
また、前記ブランク領域では、前記ランドと前記補正溝とが周方向および径方向に交互に配列してもよい。
【００１８】
また、前記ブランク領域では、前記ランドおよび前記補正溝の周方向の長さが、前記同期信号領域に近づくに従って短くなってもよい。
【００１９】
また、前記ブランク領域では、前記ランドおよび前記補正溝の径方向の長さが、前記同期信号領域に近づくに従って長くなってもよい。
【００２０】
また、前記ブランク領域では、径方向に交互に配列する前記ランドと前記補正溝との境界が、前記データトラック領域の前記トラックの延長上に位置してもよい。
【００２１】
また、本発明の磁気ディスク媒体は、表層に磁性層を含む磁気ディスク媒体であって、前記表層に溝が形成され、前記溝によって分離された前記磁性層を含むランドにより、ユーザデータが記録されるトラックが構成されるデータトラック領域と、前記表層に溝が形成され、前記磁性層を含むランドと前記溝とのパターンにより、磁気ヘッドの位置決めに供されるサーボデータが表されるサーボ領域と、が周方向に交互に配列し、前記サーボ領域は、少なくとも前記トラックの延長上の位置で前記ランドと前記溝とが周方向に交互に配列する同期信号領域と、少なくとも前記トラックの延長上の位置で、当該磁気ディスク媒体上の位置の情報を前記ランドと前記溝との２値で表すアドレス部が形成されたアドレス信号領域と、前記ランドと前記溝とが周方向に交互に配列した、径方向の位置が互いに異なる複数種類のバースト部が形成された位置誤差信号領域と、前記データトラック領域と前記同期信号領域との間に形成されるブランク領域と、を含み、前記データトラック領域における前記溝の面積比をＡＲｔとするとき、前記同期信号領域、前記アドレス信号領域、前記バースト信号領域および前記ブランク領域の少なくとも２つにおける前記溝の面積比が０．９ＡＲｔ以上１．１ＡＲｔ以下である、ことを特徴とする。更には、０．９５ＡＲｔ以上１．０５ＡＲｔ以下であることが好ましい。
【００２２】
また、本発明の磁気ディスク媒体は、表層に磁性層を含む磁気ディスク媒体であって、前記表層に溝が形成され、前記溝によって分離された前記磁性層を含むランドにより、ユーザデータが記録されるトラックが構成されるデータトラック領域と、前記表層に溝が形成され、前記磁性層を含むランドと前記溝とのパターンにより、磁気ヘッドの位置決めに供されるサーボデータが表されるサーボ領域と、が周方向に交互に配列し、前記データトラック領域に形成された前記溝の深さと、前記サーボ領域に形成された前記溝の深さとが異なる、ことを特徴とする。
【００２３】
また、本発明の磁気ディスク装置は、上記本発明の磁気ディスク媒体を備えることを特徴とする。
【発明の効果】
【００２４】
本発明によると、データトラック領域におけるヘッドスライダの浮上量と、サーボ領域におけるヘッドスライダの浮上量と、の差が抑制されるので、その結果、ヘッドスライダのディスク面への記録再生動作時の浮上量の変動を抑制し、ヘッドスライダとディスク媒体の接触による損傷を抑制することができる。
【図面の簡単な説明】
【００２５】
【図１】本発明の一実施形態に係る磁気ディスク装置の平面図である。
【図２】溝の説明図である。
【図３】ヘッドスライダの模式的な側面図である。
【図４】ランドと溝の配列例である。
【図５】本発明の一実施形態に係る磁気ディスク媒体の説明図である。
【図６】ランドと溝のパターン例である。
【図７】ランドと溝のパターン例である。
【図８Ａ】ランドと溝のパターン例である。
【図８Ｂ】ランドと溝のパターン例である。
【図９】ランドと溝のパターン例である。
【図１０】ランドと溝のパターン例である。
【図１１】ランドと溝のパターン例である。
【図１２】ランドと溝のパターン例である。
【図１３】ランドと溝のパターン例である。
【発明を実施するための形態】
【００２６】
本発明の磁気ディスク媒体および磁気ディスク装置の実施形態を、図面を参照しながら説明する。
【００２７】
図１は、磁気ディスク装置１の平面図である。同図では、トップカバーの図示が省略されている。磁気ディスク装置１の筐体には、磁気ディスク媒体２及びヘッドアッセンブリ４が収納されている。磁気ディスク媒体２は、筐体の底部に設けられたスピンドルモータ３に取り付けられている。ヘッドアッセンブリ４は、磁気ディスク媒体２の隣で旋回可能に支承されている。このヘッドアッセンブリ４の先端側には、サスペンションアーム５が設けられ、その先端部にヘッドスライダ１０が支持されている。ヘッドスライダ１０は、記録・再生を行う磁気ヘッド（記録再生ヘッド）を有しており、回転する磁気ディスク媒体２上に空気膜潤滑軸受の原理によって浮上する。他方、ヘッドアッセンブリ４の後端部には、ボイスコイルモータ７が設けられている。
【００２８】
磁気ディスク媒体２の外周付近には、ロード・アンロード方式を実現するランプ部９が設けられている。具体的に、ヘッドスライダ１０が磁気ディスク媒体２上から退避する際には、サスペンションアーム５の先端がランプ部９に乗り上がる。他方、ヘッドスライダ１０が磁気ディスク媒体２上に進行する際には、サスペンションアーム５の先端がランプ部９から滑り落ちる。なお、これに限られず、ＣＳＳ（Contact Start Stop）方式が採用されてもよい。
【００２９】
磁気ディスク媒体２には、周方向に沿って所定の周期で配列するサーボ領域２３と、これらの間に位置するデータトラック領域２１とが設けられている。図１では、分かりやすくするために６個のサーボ領域２３とデータトラック領域２１しか描いていないが、実際は２００個以上に分割されている。また、磁気ディスク媒体２の内周端部および外周端部には、データの読み書きに用いられない内周領域２５及び外周側領域２７が設けられている。この磁気ディスク媒体２は、磁性層を含む表層に電子ビーム描画装置等によって溝が形成されたパターンドメディアである。
【００３０】
データトラック領域２１では、溝によって分離された磁性層を含むランドによってトラックが構成されている。このトラックには、ヘッドスライダ１０の磁気ヘッドによって、ユーザデータが記録される。サーボ領域２３では、磁性層を含むランドと磁性層が除去された溝との２値のパターンによってサーボデータが表されている。このサーボデータは、ヘッドスライダ１０の磁気ヘッドによって読み出され、磁気ヘッドがディスク媒体面上の所望の場所に位置決めして記録再生するために供される。サーボ領域２３のパターンについては後に詳しく述べる。
【００３１】
具体的には、磁気ディスク媒体２は、データトラック領域２１の各トラックが溝によって分離されたディスクリートトラックメディアであってもよいし、データトラック領域２１のトラックを構成する各ビットセルが溝によって分離されたビットパターンドメディアであってもよい。
【００３２】
このようにデータトラック領域２１及びサーボ領域２３に溝が形成された場合、溝の分布に応じて、ヘッドスライダ１０の浮上量が変化し、また異なる溝の領域の境界でヘッドスライダ１０の浮上量が動的に変動してしまうおそれがある。そこで、本実施形態では、異なる領域間でのヘッドスライダ１０の浮上量の変動を抑制することが可能な、ランドと溝の配列を形成することを特徴としている。
【００３３】
具体的に、本実施形態では、下記数式１を満たすようにランドと溝の配列が形成される。ＡＲｔはデータトラック領域２１の溝面積比であり、ＡＲｓはサーボ領域２３の溝面積比である。
【００３４】
【数１】
2010282674.tif 000003
【００３５】
これを実現するため、サーボ領域２３には、サーボデータの機能を損なわないように、サーボデータを表すランドと溝のパターンと異なる位置に補正溝などが形成される。この補正溝は、電子ビーム描画時に他の溝と共に形成され、他の溝と同じ深さとされる。多くの場合、サーボ領域２３の溝面積比ＡＲｓは、データトラック領域２１の溝面積比ＡＲｔよりも低い。そこで、本実施形態では、サーボ領域２３に補正溝を形成することで、サーボ領域２３の溝面積比ＡＲｓを、データトラック領域２１の溝面積比ＡＲｔに近づけている。
【００３６】
また、サーボ領域２３は、後述する複数種類の領域を含むことから、領域ごとに溝面積比が調整されて、データトラック領域２１の溝面積比ＡＲｔに近づけられる。ここで、溝面積比がデータトラック領域２１の溝面積比ＡＲｔより低い領域には、補正溝が設けられることで、溝面積比が増加される。また、溝面積比がデータトラック領域２１の溝面積比ＡＲｔより高い領域が存在する場合には、ランドの面積が増加されることで、溝面積比が低減される。
【００３７】
また、溝の深さＤが場所によって異なる場合や溝面積比の調整が困難である場合等には、下記数式２を満たすようにしてもよい。ＶＲｔは、データトラック領域２１の溝面積比ＡＲｔと深さＤの積であり、ＶＲｓは、サーボ領域２３の溝面積比ＡＲｓと深さＤの積である。
【００３８】
【数２】
2010282674.tif 000004
【００３９】
ここで、溝の深さＤとしては平均溝深さが用いられる。ランドと溝の境界は必ずしも垂直の壁でないため、このような場合には、各領域での溝の深さを溝の面積で平均化した平均溝深さを定義する。例えば、図２（ａ）のように、溝が理想的な矩形状である場合、溝の深さＤは明確である。他方、図２（ｂ）のように、溝が曲線となっている場合、その平均溝深さを溝の深さＤとする。すなわち、この場合、溝の深さＤは下記数式３で表される。
【００４０】
【数３】
2010282674.tif 000005
【００４１】
ここで、Ｇ（ｘ、ｙ）は溝のｘｙ面内の深さ分布、ＡＧは溝の面積、積分は溝Ｇ（ｘ、ｙ）のＡＧ
内での面積積分を表す。面積ＡＧは、溝の形状が一様ならば１つの溝の局所的な面積を考えればよいが、場所によって変化している場合には数μｍ２の領域内での溝面積をとり、その範囲での平均溝深さとする。
【００４２】
以下、ヘッドスライダ１０の浮上量の変動を抑制するための、ランドと溝の配列の設計原理について説明する。この設計原理は、空気膜潤滑の理論から導かれる。
【００４３】
まず理解しやすいように、図３に磁気ディスク媒体面上に浮上するヘッドスライダの側面図の概略を示す。ヘッドスライダ１０は長さが１ｍｍ〜１．２５ｍｍ程度で、前側軸受パッド１０ａと後側軸受パッド１０ｂをもつ。磁気ディスク媒体２が矢印ＤＲの方向に走行すると、各軸受パッドの上流側の空気は軸受パッド面とディスク媒体面の間にかきこまれて高い圧力が発生する。そこでサスペンションアーム５の弾性変形反力でヘッドスライダ１０の中央部にディンプル６を介して荷重を掛けると、ヘッドスライダ１０は後端の浮上量が１０ｎｍ弱で、ピッチ傾斜角が１００μrad前後でバランスして安定に浮上する。各軸受パッドの浮上量が増減すると軸受すきま内の圧力が急激に減増し空気膜は高いばね効果を有する。よってディスク媒体面が変動してもその浮上すきま分布ｈ（ｘ）は変化しないようになっている。特に後側軸受パッド１０ｂの空気膜圧力は高く且つ高い空気膜ばね効果をもつので、後側軸受パッド１０ｂの後端の最小すきま位置に設置された不図示の記録再生ヘッドは１０ｎｍ以下の一定の浮上量ｈ0でディスク媒体面に追従できるようになっている。
【００４４】
ヘッドスライダ１０の浮上すきま内に発生する圧力は、圧縮性流体に関する潤滑方程式であるレイノルズ方程式によって与えられ、周囲圧力ｐａで無次元化した軸受内圧力Ｐ（＝ｐ／ｐａ）に関する微分方程式は、下記数式４で表される。
【００４５】
【数４】
2010282674.tif 000006
【００４６】
ここで、Ｘは、ヘッドスライダ１０の軸受面の長手方向の位置座標ｘをスライダ長さＬで除した無次元座標であり、Ｙは、ヘッドスライダ１０の軸受面の幅方向の位置座標ｙを長さＬで除した無次元座標である。Ｈは、最小すきまｈ０で無次元化されたすきま分布であり、Ｔは、ヘッドスライダ１０の固有角振動数ωを時間ｔに掛けて、無次元化した時間である。また、Λ＝６μＵＬ／ｈ０２／ｐａ、σ＝１２μω（Ｌ／ｈ０）２／ｐａは、それぞれ Bearing number, Squeeze number と呼ばれる無次元量で、μは空気の粘性係数、Ｕは磁気ディスク媒体２の走行速度、Ｌはヘッドスライダ１０の軸受パッドの長さ、ｈ０は後側軸受面の最小すきま、ωはヘッドスライダ１０の固有角振動数である。近年のヘッドスライダでは、軸受面の浮上量が１０ｎｍ程度と極めて小さいため、Λ，σが１０００以上と極めて大きいことが特徴的である。
【００４７】
ちなみに、Ｌ＝１ｍｍ（ヘッドスライダ長さ）、Ｕ＝１０ｍ／ｓ、ω＝２π×１０５ｒａｄ／ｓ、ｈ０＝１０ｎｍとすると、Λ＝１．１３×１０５，σ＝１４２×１０７となり、Ｌを後端軸受パッド長の最小値である３０μｍとしてもΛ＝３．３８×１０３，σ＝１．２８×１０４となる。このような高い Bearing number, Squeeze number 条件下において、左辺の圧力流れ項が有限の値をもつためには、軸受パッドの周辺部の微小な領域を除いてＰＨのＸやＴに関する微分がゼロに近い値になっており、よってＰＨ＝Ｃ（一定値）が成り立たなければならない。すなわち有次元の軸受内圧力ｐとすきまｈで現すと、下記数式５が近似的に成り立つ。
【００４８】
【数５】
2010282674.tif 000007
【００４９】
これは、軸受すきま内の空気は圧縮性が支配的で、局所的な圧力と空間体積の積が一定というボイルの法則が成立することを意味する。そこで、軸受すきまｈ（ｘ）を、その平均値ｈ（ｘ）avgと、それからの変動値Δｈ（ｘ）の和でｈ＝ｈavg＋Δｈで表すと、それによって生じる軸受内圧力ｐも、その平均値ｐavgと、それからの変動値Δｐの和でｐ＝ｐavg＋Δｐと表すことができる。これらを上記数式５へ代入して展開すると、下記数式６が得られる。
【００５０】
【数６】
2010282674.tif 000008
【００５１】
よって、平均圧力ｐavgは下記数式７で表され、変動圧力は下記数式８で表される。
【００５２】
【数７】
2010282674.tif 000009
【００５３】
【数８】
2010282674.tif 000010
【００５４】
次に、図４に示すように、磁気ディスク媒体２の表層に、ランド１１ａ，１１ｂ，１１ｃと、溝１２ａ，１２ｂ，１２ｃとが離散的に存在する例について、ヘッドスライダ１０の浮上量が変化しない条件を導く。同図では、溝１２ａ，１２ｂ，１２ｃがクロスハッチで表される。図４において、高々数μｍ２の面積の範囲Ａをとり、ヘッドスライダ１０と磁気ディスク媒体２のランドとのすきまをｈ０、この範囲Ａ内での平均溝深さをＤ、範囲Ａ内で溝が占める面積比をＡＲとすると、ｈavg＝ｈ０＋Ｄ×ＡＲであるから、上記数式７の平均圧力ｐavgは下記数式９で表される。
【００５５】
【数９】
2010282674.tif 000011
【００５６】
ここで、平均化する範囲Ａの大きさは、高々数μｍ２とする。その理由は、ヘッドスライダ１０の後端部にある軸受パッドの面積が少なくとも１０００μｍ２あり、よって一辺が２μｍの範囲、即ち４μｍ２の範囲内で平均圧力が１０％の誤差の範囲で等しければ、スライダの浮上すきまｈ０の変化は１０％以下に抑えられると考えられるからである。ちなみに、パターンドメディアで実現される高密度記録では、１μｍ内に少なくとも１５トラック以上が存在するので、同じ種類の信号を表す領域ならば数μｍ２の面積内での平均溝深さＤとその面積比率ＡＲとは一定である。
【００５７】
磁気ディスク媒体２内の異なる範囲Ａにおいて、ヘッドスライダ１０がほぼ等しい浮上すきまｈ０をもつためには、上記数式９から浮上すきまｈ０と平均圧力ｐavgとが異なる範囲Ａで変化しなければよいことは明らかである。よって、各範囲ＡでＤ×ＡＲ（平均溝深さと溝面積比率の積）がほぼ等しくなればよい。
【００５８】
磁気ディスク媒体２内の範囲Ａによって平均溝深さＤが等しい場合には、溝面積比率ＡＲが等しければよい。また、例えばディスクリートトラックの場合には、各範囲Ａにおける溝面積比が、データトラック領域２１における溝幅のピッチ幅に対する比率に等しいことである。一方、各範囲Ａにおける溝面積比を等しくできない場合には、平均溝深さＤを変化させて平均圧力ｐavgを一定に維持してもよい。
【００５９】
なお、上記数式９は、ヘッドスライダ１０が溝のない領域から溝のある領域へ移動したときのヘッドスライダ１０の浮上すきまの減少量Δｈが、Δｈ＝Ｄ×ＡＲで与えられることを示しており、気体膜潤滑理論から得られた上記数式６〜数式９に基づくこの結論は、上記非特許文献の実験結果により正しいことが証明されている。
【００６０】
ここで、サーボ領域２３の各領域では、後述するように、トラックのピッチ毎にほぼ同じランドと溝のパターンが径方向に連続している。このため、サーボ領域２３の各領域内に定められた上記高々数μｍ２の範囲Ａの溝面積比は、サーボ領域２３の各領域の溝面積比と同じである。従って、サーボ領域２３の各領域の溝面積比が、データトラック領域２１の溝面積比ＡＲｔにほぼ一致すれば、ヘッドスライダ１０の浮上量の変動が抑制される。
【００６１】
図５は、磁気ディスク媒体２の記録様式（記録フォーマット）の説明図である。同図では、主にサーボ領域２３の一部が拡大されている。なお、同図では、補正溝が表されておらず、通常のパターンが表されている。補正溝の形成例については、後に詳しく述べる。また、同図では、説明のため、磁気ディスク媒体２の周方向が直線で表されている。矢印ＴＲは、磁気ディスク媒体２に対してヘッドスライダ１０が相対移動する方向を表す。
【００６２】
この図５では、ディスクリートトラックメディアの例が示されている。すなわち、データトラック領域２１では、磁気ディスク媒体２の周方向に沿って、ランドにより構成されるトラック２８が形成されている。破線２８ｃは、トラック２８の中心を表す。各トラック２８の間には、磁気ディスク媒体２の周方向に沿って溝２９が形成されている。二点破線２９ｃは、溝２９の中心を表す。データ信号は、矢印ＴＲに沿って移動するヘッドスライダ１０の磁気ヘッドによって、トラック２８に記録される。
【００６３】
このようにデータトラック領域２１では、トラック２８と溝２９とが径方向に沿って交互に並んでいる。ここで、トラック２８のピッチをＰ、溝２９の幅をＷとすると、データトラック領域２１の溝面積比ＡＲｔは、ＡＲｔ＝Ｗ／Ｐとなる。このＡＲｔは、例えば０．２５以上０．５以下である。ＡＲｔの最適値は、記録再生過程のＳ／Ｎ特性と位置決め制御性能とにより決まり、通常０．５程度とされる。
【００６４】
サーボ領域２３には、サーボデータが表されており、矢印ＴＲに沿って移動するヘッドスライダ１０の磁気ヘッドによって読み出される。具体的には、サーボ領域２３には、磁気ディスク媒体２の周方向に沿って、ブランク領域３０と、同期信号領域４０と、アドレス信号領域５０と、位置誤差信号領域６０と、同期信号領域７０とが配列している。なお、図５では、アドレス信号領域５０の溝を省略している。ここで、サーボ領域２３の各領域の溝面積比は、１つのピッチ内の溝面積比を求めることで得られる。
【００６５】
ブランク領域３０は、信号の読み書きに関係のない空白領域で、磁気ヘッドに含まれる記録素子と再生素子とが数μｍ離れているために必要となる領域である。通常、このブランク領域３０の溝面積比は０である。
【００６６】
同期信号領域４０は、後述するアドレス信号や位置誤差信号を読み出したり、データトラック領域２１にデータ信号を書き込むタイミングを管理するための同期信号を表す領域である。この同期信号領域４０では、径方向に延びる溝４１とランド４３とが周方向に沿って交互に配列する。通常、溝４１の幅とランド４３の幅とが等しく、この同期信号領域４０の溝面積比は０．５である。
【００６７】
アドレス信号領域５０は、磁気ディスク媒体２上の位置を表すアドレス信号を表す領域であり、シリンダ番号領域５２及びセクタ番号領域５４を有している。シリンダ番号領域５２及びセクタ番号領域５４では、２値情報に符号化されたシリンダ番号（トラック番号）及びセクタ番号が、ランドと溝のパターンで表される。通常、このアドレス信号領域５０の溝面積比は、局所的に０と１の間で変化する。
【００６８】
位置誤差信号領域６０は、磁気ヘッドをトラック２８の中心２８ｃに精密に位置決めするためのバースト信号を表す領域である。方式によってパターンは異なるが、図５に示した方式では、ランド６５と溝６３とが周方向に交互に配列した４種類のバースト部６１が、トラック２８の幅の半分ずつ径方向の位置をずらして形成されている。通常、この位置誤差信号領域６０の溝面積比は、例えば０．２５である。
【００６９】
同期信号領域７０は、上記同期信号領域４０と同様に、同期信号を表す領域であり、径方向に延びる溝７２とランド７４とが周方向に沿って交互に配列する。通常、溝７２の幅とランド７４の幅とが等しく、この同期信号領域７０での溝面積比は０．５である。
【００７０】
なお、今後実用化されるパターンドメディアのトラックピッチは０．０６μｍ以下程度であり、１μｍ内にトラックが１６ピッチ程度含まれる。また、同期信号やバースト信号の記録密度はデータ信号の記録密度の数分の１と低く、同期信号やバースト信号の周方向のランドと溝の幅はデータ信号のランドと溝の幅と概ね同じと考えてよい。よって、周方向にランドと溝からなる領域は、１６ビット相当分が１μｍ程度の長さをもつ目安になる。
【００７１】
以上に説明したように、データトラック領域２１の溝面積比ＡＲｔは、例えば０．５程度である。これに対し、サーボ領域２３では、通常、ブランク領域３０の溝面積比が０であり、同期信号領域４０の溝面積比が例えば０．５であり、アドレス信号領域５０の溝面積比が０と１の間で変化し、位置誤差信号領域６０の溝面積比が例えば０．２５であり、同期信号領域７０の溝面積比が例えば０．５である。
【００７２】
ここで、サーボ領域２３の各領域の面積を考慮すると、一般に、サーボ領域２３の溝面積比ＡＲｓは、データトラック領域２１における溝面積比ＡＲｔよりも小さい。本実施形態では、サーボ領域２３の本来の機能を維持しながら、サーボ領域２３の溝面積比ＡＲｓを増加させ、データトラック領域２１の溝面積比ＡＲｔに近づける。具体的には、以下の各パターン例に示されるように、サーボ領域２３の各領域に補正溝を形成すること等によって、サーボ領域２３の各領域の溝面積比を、データトラック領域２１の溝面積比ＡＲｔに近づける。なお、以下の各パターン例では、基準となるデータトラック領域２１の溝面積比ＡＲｔを０．５とする。
【００７３】
［パターン例１］
図６は、位置誤差信号領域６０におけるランドと溝のパターン例である。本例では、径方向に配列するバースト部６１の間に、周方向に延びる補正溝６７が形成されている。この補正溝６７は、バースト部６１の径方向の両側に、バースト部６１の径方向の幅の１／４、バースト部６１の周方向の長さと同じになるように形成されている。また、バースト部６１の間には、周方向に延びるランド６９が形成されている。このランド６９は、バースト部６１の径方向の幅の１／２、バースト部６１の周方向の長さと同じになるように形成されている。
【００７４】
また、補正溝６７は、バースト部６１の溝６３と連続して形成されており、このため、バースト部６１のランド６５は、バースト部６１の溝６３と、補正溝６７とに囲まれている。これにより、バースト部６１から得られる信号のＳ／Ｎ比を向上させることができる。
【００７５】
このように補正溝６７を形成することにより、位置誤差信号領域６０の溝面積比を０．５まで増加させて、データトラック領域２１の溝面積比ＡＲｔと一致させることができる。また、データトラック領域２１の溝面積比ＡＲｔが０．５以外の場合も、補正溝６７の大きさを調整することで、位置誤差信号領域６０の溝面積比をそれと一致させることが可能である。例えば、位置誤差信号領域６０の溝面積比は、０．２５以上０．７５以下の範囲で変化させることができる。
【００７６】
［パターン例２］
図７は、アドレス信号領域５０におけるランドと溝のパターン例である。なお、不図示のセクタ番号領域５４も、シリンダ番号領域５２と同様に構成される。シリンダ番号領域５２では、データトラック領域２１のトラック２８の延長上の位置に、シリンダ番号をランド５６ａと溝５６ｂとの２値で表すアドレス部５６が形成されている。本例では、データトラック領域２１のトラック２８の延長上ではない位置、すなわちデータトラック領域２１の溝２９の延長上の位置に、補正溝５８ｂが形成されている。
【００７７】
具体的には、アドレス部５６の径方向の両側に、ランド５８ａと補正溝５８ｂを含む補正部５８が形成されている。補正部５８の補正溝５８ｂは、アドレス部５６の各ランド５６ａの径方向の両側に、ランド５６ａの径方向の幅の１／２、ランド５６ａの周方向の長さと同じになるように形成されている。他方、補正部５８のランド５８ａは、アドレス部５６の各溝５６ｂの径方向の両側に、溝５６ｂの径方向の幅の１／２、溝５６ｂの周方向の長さと同じになるように形成されている。すなわち、補正部５８は、アドレス部５６のランド５６ａと溝５６ｂのパターンが反転した、ランド５８ａと補正溝５８ｂのパターンを有している。
【００７８】
このように補正溝５８ｂを形成することにより、アドレス信号領域５０の溝面積比を０．５として、データトラック領域２１の溝面積比のＡＲｔと一致させることができる。また、データトラック領域２１の溝面積比ＡＲｔが０．５以外の場合も、補正溝５８ｂの大きさを調整することで、アドレス信号領域５０の溝面積比をそれと一致させることが可能である。また、アドレス部５６のランド５６ａの径方向の両側に補正溝５８ｂが形成されることで、アドレス部５６から得られるアドレス信号のＳ／Ｎ比を向上させることができる。
【００７９】
［パターン例３］
図８Ａ及び図８Ｂは、アドレス信号領域５０におけるランドと溝のパターン例である。なお、不図示のセクタ番号領域５４も、シリンダ番号領域５２と同様に構成される。シリンダ番号領域５２では、シリンダ番号をランド５６ａと溝５６ｂとの２値で表すアドレス部５６が形成されている。このアドレス部５６は、データトラック領域２１の溝２９の中心まで径方向に広がっている。本例では、アドレス部５６と、補正溝５９ｂを含む補正部５９とが周方向に並んでいる。
【００８０】
具体的には、補正部５９は、アドレス部５６のランド５６ａと溝５６ｂのパターンが反転した、ランド５９ａと補正溝５９ｂのパターンを有している。すなわち、補正部５９は、アドレス部５６のランド５６ａに対応する数・大きさの補正溝５８ｂと、アドレス部５６の溝５６ｂに対応する数・大きさのランド５８ａとを有している。図８Ａと図８Ｂとでは、補正部５９のランド５９ａと補正溝５９ｂの配列が前後逆になっている。
【００８１】
このように補正溝５９ｂを形成することにより、アドレス信号領域５０の溝面積比を０．５として、データトラック領域２１の溝面積比ＡＲｔと一致させることができる。アドレス部５６の長さは高々１μｍであり、補正部５９を含めたシリンダ番号領域５２の長さは高々２μｍであるので、高々４μｍ２の範囲内で溝面積比が０．５となっている。また、データトラック領域２１の溝面積比ＡＲｔが０．５以外の場合も、補正溝５９ｂの大きさを調整することで、アドレス信号領域５０の溝面積比をそれと一致させることが可能である。
【００８２】
本例では、アドレス部５６がデータトラック領域２１の溝２９の中心まで径方向に広がっているので、磁気ヘッドがトラック２８から多少ずれても、アドレス部５６からアドレス信号を読み出すことが可能である。また、補正部５９は、アドレス部５６の反転符号となっているので、補正部５９から読み出される信号によって、アドレス信号の信頼性を向上させることもできる。
【００８３】
なお、他の例として、シリンダ番号領域５２やセクタ番号領域５４の溝面積比が所定の値を満たすように制約条件を与えて、シリンダ番号やセクタ番号を符号化するようにしてもよい。
【００８４】
［パターン例４］
図９は、ブランク領域３０におけるランドと溝のパターン例である。本例では、ブランク領域３０に補正溝３４が離散的に形成されている。具体的には、データトラック領域２１のトラック２８及び溝２９の延長上に、これらと径方向の幅が同じランド３２と補正溝３４とが周方向に沿って交互に配列している。また、これらランド３２と補正溝３４は、径方向に沿っても交互に配列している。すなわち、ブランク領域３０のランド３２と補正溝３４は、市松模様を構成している。
【００８５】
このように補正溝３４を形成することにより、ブランク領域３０の溝面積比を０．５まで増加させて、データトラック領域２１の溝面積比ＡＲｔと一致させることができる。
【００８６】
ここで、ブランク領域３０と同期信号領域４０の境界近傍における局所的な溝面積比を０．５とするためには、ブランク領域３０の端に形成される補正溝３４と、同期信号領域４０の端に形成される溝４１との間隔ｄを、当該補正溝３４の周方向の幅の半分とすることが好ましい。
【００８７】
ところで、ブランク領域３０は、データトラック領域２１と同期信号領域４０との間に形成されている。データトラック領域２１ではトラック２８と溝２９が周方向に延びており、これに対し、同期信号領域４０ではランド４３と溝４１が径方向に延びており、延伸方向が互いに直交している。この場合、データトラック領域２１と同期信号領域４０との境界部分であるブランク領域３０で、ヘッドスライダ１０が受ける気体流に急激な変化が現れて、ヘッドスライダ１０の浮上量が変動するおそれがある。しかし、ブランク領域３０に、上述したような市松模様を構成するランド３２と補正溝３４のパターンを形成することで、ヘッドスライダ１０が受ける気体流の変化を抑制して、ヘッドスライダ１０の浮上量の安定化を図ることができる。
【００８８】
また、ブランク領域３０では、ランド３２及び補正溝３４の周方向の長さが、データトラック領域２１に近づくに従って長くなり、同期信号領域４０に近づくに従って短くなっている。これにより、ヘッドスライダ１０が受ける気体流の変化を抑制する効果を、さらに高めることができる。図９のパターン例では、ランド３２及び補正溝３４の周方向の長さが２種類であるが、これに限られず、さらに多段的に変化させてもよい。この場合、ブランク領域３０のランド３２及び補正溝３４の周方向の長さは、同期信号領域４０に近づくに従って、同期信号領域４０のランド４３及び溝４１の周方向の長さに近づくようにすることが好ましい。
【００８９】
図１０は、データトラック領域２１から同期信号領域４０への空気の流れをスムースにして浮上量の変動を抑圧できる実施例の図である。すなわち、図９の実施例に加えてブランク領域３０のランド３２及び補正溝３４の径方向の幅をも変化させて、これらの径方向の幅が、データトラック領域２１との境界ではトラック２８及び溝２９の径方向の幅に等しく、一方同期信号領域との境界では径方向の幅を大きく周方向のランドと溝の幅を同期信号に一致させている。
【００９０】
更に、図１１に示すように、データトラック領域２１とブランク領域３０との流れをスムースにするためには、ブランク領域３０の市松模様のランドと溝がデータトラック領域２１のランドと溝に半ピッチだけずらすことも考えられる。この場合、データトラック領域２１のランドと溝がブランク領域３０のランドと溝に連結しているので、データトラック領域２１からの空気の流動をブランク領域３０の空気の流動に滑らかに接続させることができる。
【００９１】
なお、一般に、磁気ディスク媒体２上を相対移動するヘッドスライダ１０の磁気ヘッドがブランク領域３０から読み出す信号は、レベルが一定の信号であり、その後、同期信号領域４０から読み出す信号は、矩形波であり、その平均値が上記レベルから０に漸近する過渡波形である。そこで、上述したようなランド３２と補正溝３４のパターンを形成することで、ブランク領域３０から得られる信号のレベルを低下させることができ、その結果、同期信号領域４０から得られる信号の漸近をより早めることが可能となる。さらには、ブランク領域３０から得られる信号のレベルを更に低下させるために、ブランク領域３０の溝面積比を、データトラック領域２１の溝面積比ＡＲｔより高くしてもよい。
【００９２】
また、以上の説明では、サーボ領域２３の一方の端部に形成されたブランク領域３０について説明したが、図５に示されるように、サーボ領域２３の他方の端部でも、溝７２とランド７４が径方向に延びた同期信号領域７０と、トラック２８と溝２９が周方向に延びたデータトラック領域２１と、が近接している。上記のように溝面積比がおなじでも、データトラック領域と同期信号領域のように溝とランドが直交している場合には、その境界で空気の流れが動的に変化するため、ヘッドスライダの浮上量が振動することが実験的に知られている。そこで、図１２に示されるように、同期信号領域７０とデータトラック領域２１との間に上記と同様のランド８１と補正溝８３からなる市松模様のパターン８０を形成してもよい。
【００９３】
この場合、上記ブランク領域３０の場合と同様に、異なるパターンの遷移領域における空気の流れをスムースにするために上記図１０および上記図１１のようなランドと溝のパターンを設けることが望ましい。ただし同期信号領域７０とデータトラック領域２１との境界では、上記のデータトラック領域２１と同期信号領域４０との間のブランク領域３０とは左右の配置が逆なので、市松模様はそれぞれ図１０および図１１を左右反転させた配置にしなければならないのは言うまでもない。
【００９４】
また、サーボ領域２３では、他にも、同期信号領域４０とアドレス信号領域５０の間、アドレス信号領域５０と位置誤差信号領域６０の間、位置誤差信号領域６０と同期信号領域７０の間、さらには、アドレス信号領域５０のシリンダ番号領域５２とセクタ番号領域５４の間、位置誤差信号領域６０の各バースト部６１の間などにも、ブランク領域が形成されることがある。こうしたブランク領域にも、上記と同様のランドと補正溝のパターンを適用してもよい。
【００９５】
［パターン例５］
図１１は、ブランク領域３０及び同期信号領域４０におけるランドと溝のパターン例である。本例では、データトラック領域２１のトラック２８のピッチに対して溝２９の幅が０．４とされており、これにより、データトラック領域２１の溝面積比ＡＲｔは０．４となっている。また、ブランク領域３０には、上記と同様の、ランド３２と補正溝３４とが周方向および径方向に交互に配列されたパターンが形成されている。ここでは、データトラック領域２１のトラック２８の延長上の位置にある補正溝３４の径方向の幅が、トラック２８の幅よりもやや狭くなっており、これにより、ブランク領域３０の溝面積比も０．４となっている。
【００９６】
同期信号領域４０は、通常、ランド４３と溝４１は同じ幅に形成されて、その溝面積比が例えば０．５となるが、本例では、上記データトラック領域２１及びブランク領域３０の溝面積比と合うように、同期信号領域４０の溝面積比を低下させるため、通常は溝４１とされる範囲の一部に補正ランド４５が設けられている。具体的には、同期信号領域４０のうち、データトラック領域２１のトラック２８の延長上の位置では、ランド４３と溝４１が同じ幅で周方向に交互に配列しているのに対し、データトラック領域２１のトラック２８の延長上でない位置、すなわち溝２９の延長上の各位置では、溝４１の径方向の端を塞ぐ補正ランド４５が形成されている。すなわち、補正ランド４５は、データトラック領域２１の溝２９の延長上の各位置で、径方向に配列する溝４１の間に形成されている。この補正ランド４５の径方向の幅は、データトラック領域２１の溝４１の径方向の幅よりも小さい。このように補正ランド４５が設けられることで、磁気ヘッドにより同期信号が読み出される、トラック２８の延長上の位置では、ランド４３と溝４１の幅を同じにしつつも、同期信号領域４０の溝面積比を低下させることができる。
【００９７】
このような補正ランド４５によって、同期信号領域４０の溝面積比をどこまで低下させることができるかは、幾何学的考察によって０．３となる。これは、補正ランド４５の径方向の幅を、データトラック領域２１の溝２９の幅に揃えた場合の値である。よって、データトラック領域２１の溝面積比ＡＲｔがそれよりも小さい場合には、同期信号領域４０の平均溝深さを小さくすることも考えられる。
【００９８】
以上に説明した実施形態によれば、サーボ領域２３の各領域の溝面積比を変化させることで（例えば０．４〜０．５）、サーボ領域２３の溝面積比ＡＲＳをデータトラック領域２１の溝面積比ＡＲｔに近づけることが可能である。このため、サーボ領域２３の各領域の溝深さを変えることなく、ヘッドスライダ１０の浮上量の変動を抑制することができる。また、実験やシミュレーションの結果からも、溝面積比が同一なら定常的な浮上量が変化せず、また、差が１割なら浮上量に影響をほぼ与えないことが判明した。
【００９９】
また、上記の説明では、磁気ディスク媒体２がディスクリートトラックメディアである場合のサーボ領域２３の各領域のパターン例について説明したが、磁気ディスク媒体２がビットパターンドメディアである場合も、同様にして、サーボ領域２３の各領域に形成する補正溝や補正ランドの大きさを調整することで、サーボ領域２３の各領域の溝面積比を、データトラック領域２１の溝面積比ＡＲｔに近づけることができる。また、こうした考えは、あらゆるパターンドメディアに適用できる。
【０１００】
また、上記の説明では、磁気ディスク媒体２の各領域に形成される溝の深さは、同じであることを前提にしていたが、溝面積比を所望の値にすることが困難である場合などには、溝の深さを部分的に変化させることで、溝の体積比を揃えるようにすれば、ヘッドスライダ１０の浮上量の変動を抑制することができる。
【０１０１】
なお、上記図１に示されるように、磁気ディスク媒体２は外周領域２７を有しているが、この外周領域２７には、ランプ部９からロードされたヘッドスライダ１０が衝突するおそれがあることから、溝を設けずに、ヘッドスライダ１０の浮上量を比較的高く保つ方が好ましい。但し、ヘッドスライダ１０がデータトラック領域２１及びサーボ領域２３の外周付近に位置するときは、ヘッドスライダ１０の浮上パッドの一部が、外周領域２７のうち内周側の一部上に位置することが考えられるので、この場合、この内周側の一部に補正溝を設けてもよい。
【符号の説明】
【０１０２】
１  磁気ディスク装置、２  磁気ディスク媒体、３  スピンドルモータ、４  ヘッドアッセンブリ、５  サスペンションアーム、６  ディンプル、７  ボイスコイルモータ、９  ランプ部、１０  ヘッドスライダ、１０ａ  前側軸受パッド、１０ｂ  後側軸受パッド、１１、１１ａ〜１１ｃ  ランド、１２、１２ａ〜１２ｃ  溝、２１  データトラック領域、２３  サーボ領域、２５  内周領域、２７  外周領域、２８  トラック、２８ｃ  中心、２９  溝、２９ｃ  中心、３０  ブランク領域、３２  ランド、３４  補正溝、４０  同期信号領域、４１  溝、４３  ランド、４５  補正ランド、５０  アドレス信号領域、５２  シリンダ番号領域、５４  セクタ番号領域、５６  アドレス部、５６ａ  ランド、５６ｂ  溝、５８  補正部、５８ａ  ランド、５８ｂ  補正溝、５９  補正部、５９ａ  ランド、５９ｂ  補正溝、６０  バースト信号領域、６１  バースト部、６３  溝、６５  ランド、６７  補正溝、６９  ランド、７０  同期信号領域、７２  溝、７４  ランド、８０  ブランク領域、８１  ランド、８３  補正溝。
【図１】
2010282674.tif 000012
【図２】
2010282674.tif 000013
【図３】
2010282674.tif 000014
【図４】
2010282674.tif 000015
【図５】
2010282674.tif 000016
【図６】
2010282674.tif 000017
【図７】
2010282674.tif 000018
【図８Ａ】
2010282674.tif 000019
【図８Ｂ】
2010282674.tif 000020
【図９】
2010282674.tif 000021
【図１０】
2010282674.tif 000022
【図１１】
2010282674.tif 000023
【図１２】
2010282674.tif 000024
【図１３】
2010282674.tif 000025